(57)【要約】      （修正有）【課題】透過表示部の照明ムラを小さくすることが可能な表示装置を提供する。【解決手段】表示板４０は、透過表示部を有する。指針１０は、表示板４０を指示する。指針駆動手段２２は、指針１０を回動させる。発光素子２４は、表示板４０を透過照明する照明光を発する。反射部材３０は、照明光を表示板４０に反射させる。表示パネル５１は、反射部材３０に並設される。反射部材３０は、透過表示部の近傍に反射抑制部３５ｂを有する。反射抑制部３５ｂは段差部からなるものである。表示板４０と反射部材３０との間に隙間がある。反射部材３０は、正面視で透過表示部に重なる垂直部３５を有する。【選択図】図１
2015158378.tif 000002
【特許請求の範囲】
【請求項１】
透過表示部を有する表示板と、前記表示板を透過照明する照明光を発する発光素子と、前記照明光を前記表示板に反射させる反射部材と、を備え、
前記反射部材は、前記透過表示部の近傍に反射抑制部を有することを特徴とする表示装置。
【請求項２】
透過表示部を有する表示板と、前記表示板を指示する指針と、前記指針を回動させる指針駆動手段と、前記表示板を透過照明する照明光を発する発光素子と、前記照明光を前記表示板に反射させる反射部材と、前記反射部材に並設された表示パネルと、を備え、
前記反射部材は、前記透過表示部の近傍に反射抑制部を有することを特徴とする表示装置。
【請求項３】
前記反射抑制部は段差部からなることを特徴とする請求項１または請求項２に記載の表示装置。
【請求項４】
前記表示板と前記反射部材との間に隙間があることを特徴とする請求項１または請求項２に記載の表示装置。
【請求項５】
前記反射部材は、正面視で前記透過表示部に重なる垂直部を有することを特徴とする請求項１または請求項２に記載の表示装置。
【発明の詳細な説明】
【技術分野】
【０００１】
本発明は、透過照明される表示板を備えた表示装置に関するものである。
【背景技術】
【０００２】
従来より、車両用表示装置が種々提案されており、例えば特許文献１に開示されている。斯かる車両用表示装置は、一対の指針式計器の中央部分に液晶表示パネルを配置したものである。車両用表示装置は、単一の表示板に指針式計器の指標部と液晶表示パネルの開口部を有しており、この表示板の背後に指針式計器の照明構造や液晶表示パネルを表示するための枠状部とを備えた中ケースを配置している。
【先行技術文献】
【特許文献】
【０００３】
【特許文献１】特開２０１１−９９７６５号公報
【発明の概要】
【発明が解決しようとする課題】
【０００４】
しかしながら、車両用表示装置は、文字板に透過意匠が形成され、この透過意匠の形成位置と液晶表示パネルとの位置が近く、透過意匠の背後に遮光壁が重なる場合、指針式計器の照明用光源からの光によって透過照明される透過意匠に照明ムラが発生する虞があった。
本発明は、この問題に鑑みなされたものであり、透過表示部の照明ムラを小さくすることが可能な表示装置を提供するものである。
【課題を解決するための手段】
【０００５】
本発明は、透過表示部４２を有する表示板４０と、前記表示板４０を透過照明する照明光を発する発光素子２４と、前記照明光を前記表示板４０に反射させる反射部材３０と、を備え、前記反射部材３０は、前記透過表示部４２の近傍に反射抑制部３５ｂを有するものである。
【０００６】
また、本発明は、透過表示部４２を有する表示板４０と、前記表示板４０を指示する指針１０と、前記指針１０を回動させる指針駆動手段２２と、前記表示板４０を透過照明する照明光を発する発光素子２４と、前記照明光を前記表示板４０に反射させる反射部材３０と、前記反射部材３０に並設された表示パネル５１と、を備え、前記反射部材３０は、前記透過表示部４２の近傍に反射抑制部３５ｂを有するものである。
【０００７】
また、本発明は、前記反射抑制部２５ｂは段差部からなるものである。
【０００８】
また、本発明は、前記表示板４０と前記反射部材３０との間に隙間ｄがあるものである。
【０００９】
また、本発明は、前記反射部材３０は、正面視で前記透過表示部４２に重なる垂直部３５を有するものである。
【発明の効果】
【００１０】
意匠部の近傍に段差部を設けることにより、照明光が過剰に反射されることを防止し、照明ムラを小さくすることができる。
【図面の簡単な説明】
【００１１】
【図１】本発明の実施形態を示す断面図。
【図２】同上実施形態を示す正面図。
【図３】同上実施形態を示す要部断面図。
【発明を実施するための形態】
【００１２】
以下、添付図面に基づいて、本発明の一実施形態を説明する。車両用表示装置は、指針１０と、回路基板２０と、ケース体３０と、表示板４０と、液晶表示器５０と、背面カバー６０と、を備えている。
【００１３】
指針１０は、透光性樹脂からなる指針本体１１と、不透明な樹脂からなる指針キャップ１２とを有しており、後述する指標部４１を指示する。回路基板２０は、基板本体２１と、基板本体２１の背面側に実装された指針駆動部２２と、基板本体２１の表面側に実装された発光素子２４，２５と、を備えており、表示板４０の後側に配置されている。
【００１４】
基板本体２１は、平板状のガラスエポキシ系基材に、指針駆動部２２を駆動させる駆動回路、発光素子２４，２５を発光させる発光回路等を形成した硬質プリント基板からなる。駆動回路及び発光回路は、夫々、配線パターン，抵抗，コンデンサ等によって構成される。駆動回路は、制御部から供給される制御信号に基づいて、指針駆動部２２を駆動する。発光回路は、制御部から供給される制御信号に基づいて、発光素子２４，２５を発光させる。
【００１５】
指針駆動部２２は、可動磁石式駆動装置，ステッピングモータ等からなるものである。指針駆動部２２の回動軸２２ａは、基板本体２１に形成された貫通孔２１ａに挿入され、指針駆動部２２の回動軸２２ａには、指針１０が取り付けられる。指針本体１１のボス部は、表示板４０に形成された貫通孔４０ａに挿入されている。
【００１６】
基板本体２１の駆動回路は、制御部から供給される制御信号に基づいて、指針駆動部２２を駆動して、指針１０は、制御信号に応じた回転角度で回動軸２２ａを回転させる。これによって、車両速度に応じた所定の回転角度で回転し、後述する指標部４１を指示する。
【００１７】
発光素子２４，２５は、夫々、１個以上の発光ダイオード等によって構成される。発光素子２４は、表示板４０の指標部４１及び意匠部４２を透過照明する。発光素子２４，２５は、制御部から供給される制御信号に基づいて駆動され、車両運転者によって操作されるイルミネーションスイッチ等に応じてオン／オフされる。
【００１８】
ケース体３０は白色の合成樹脂（例えば、ポリプロピレン）からなり、このケース体３０に回路基板２０が固定されている。ケース体３０は、垂直部３１，傾斜部３２，平行部３３，傾斜部３４，垂直部３５を有している。ケース体３０の垂直部３１は、円筒形状になっており、前端が表示板４０の後面に当接し、後端が回路基板２０の前面に当接している。ケース体３０の垂直部３１は、発光素子２４が発する照明光と、発光素子２５が発する照明光とが混合されることを防ぐ遮光壁になっている。
【００１９】
ケース体３０の傾斜部３２は、垂直部３１の外周面から逆円錐状に広がる形状になっている。ケース体３０の傾斜部３２は、発光素子２４が発した照明光を平行部３３，傾斜部３４に向けて反射させる。ケース体３０の平行部３３は、表示板４０と平行な平板形状になっている。ケース体３０の傾斜部３４は、逆円錐状になっており、平行部３３の外周端に連なっている。ケース体３０の傾斜部３４は、発光素子２４が発した照明光を表示板４０に向けて反射させる。ケース体３０の垂直部３５は、円筒形状になっており、後端が回路基板２０の前面に当接している。ケース体３０の垂直部３５は、傾斜部３４の外周端に連なっている。
【００２０】
ケース体３０の垂直部３５には、発光素子２４が発した照明光が液晶表示器５０に影響を及ぼさないように、遮光部３５ａが形成されている。ケース体３０の遮光部３５ａは、表示板４０の後面と微小な隙間ｄを有するように垂直部３５に形成されている。ケース体３０の垂直部３５は、段差部３５ｂを有しており、発光素子２４が発した照明光が過剰に反射されることを防止する。
【００２１】
表示板４０は、指針１０の指示対象である指標部４１と、円環状の意匠部４２とを有している。表示板４０の指標部４１は、目盛部と、この目盛部の近傍に配置された数字部とを有しており、円弧状に配置されている。表示板４０の意匠部４２は、指標部４１を囲む円環状になっており、正面視でケース体３０の垂直部３５に重なる個所に設けられている。表示板４０の指標部４１及び意匠部４２は、発光素子２４によって透過照明される。
【００２２】
表示板４０は、透明シートからなる基材４５に透過層４６，遮光層４７等を印刷形成したものであり、平板形状になっている。表示板４０には、指針本体１１のボス部が回転可能に挿入される貫通孔４０ａが形成されている。また、表示板４０の中央には、液晶表示器５０の画像を視認する矩形の窓部４０ｂが形成されている。
【００２３】
液晶表示器５０は、２個の指針式計器（速度計及び回転計）の間に配置されている。液晶表示器５０は、液晶表示パネル５１，接続部材５２，光学シート５３，ケース体５４を有している。液晶表示パネル５１は、透明電極が形成された一対のガラス基板に液晶を封入した液晶セルの前後両面に偏光板を貼着したものである。液晶表示パネル５１には、積算走行距離等の車両情報が表示される。
【００２４】
接続部材５２は、金属ピンからなるものであり、一端が液晶表示パネル５１に電気的に接続され、他端が半田によって回路基板２０に電気的に接続されている。光学シート５３は、光拡散フィルム，輝度上昇フィルム等を適宜組み合わせてなるものであり、液晶表示パネル５１の後面に配設されている。ケース体５４は、白色の樹脂からなるものである。液晶表示パネル５１は、回路基板２０の前面に搭載された図示しない発光素子によって透過照明される。
【００２５】
本発明の特徴は、意匠部４２の近傍に段差部３５ｂを設けたことであり、照明光が過剰に反射されることを防止することができる。また、表示板４０に対して微小な隙間ｄを有するように、ケース体３０に遮光部３５ａを設けたことにより、指針式計器と液晶表示器５０とを近接配置するため、ケース体３０と液晶表示パネル５１とが並設されたときであっても、表示板４０の意匠部４２を透過照明できる。
【００２６】
なお、本発明は、本実施形態に限定されるものではなく、種々の変形が可能である。例えば、表示パネルは、ＴＦＴ型液晶表示モジュールまたは有機ＥＬパネルであっても良い。また、本実施形態は、一対の指針式計器の中央に液晶表示器５０を配置したものであるが、指針式計器はなくても良い。
【符号の説明】
【００２７】
１０    指針
２２    指針駆動部（指針駆動手段）
２４    発光素子
２５    発光素子
３０    ケース体（反射部材）
３５    垂直部
３５ｂ  段差部（反射抑制部）
４０    表示板
４１    指標部
４２    意匠部（透過表示部）
５１    液晶表示パネル（表示パネル）
【図１】
2015158378.tif 000003
【図２】
2015158378.tif 000004
【図３】
2015158378.tif 000005